(57)【特許請求の範囲】
【請求項１】
利用者が跨って着座する着座部と、この着座部の前方に着座後の両膝を支える支え部が前記着座部から連続的に形成されている鞍型椅子であって、
前記着座部および支え部が平面視台形の四角柱の上面に形成され、この台形の底辺が前記支え部側であり、前記底辺に平行する短辺が前記着座部側であり、
前記着座部は前記利用者の臀部が着座できる凹み部を有し、前記支え部は前記利用者が跨って着座したとき両大腿部および両膝部が当接するように抉られている一対の抉り部と、この抉り部上方に両膝が当接する一対の突起部とを有し、前記利用者は、臀部を前記凹み部で安定させ、両大腿部および両膝内側で前記抉り部を挟み込む着座と、前記一対の突起部に両膝部が支えられて反り返ることができる着座とができ、
前記着座部および支え部が合成樹脂発泡体により一体的に形成された成形品であることを特徴とする鞍型椅子。
【請求項２】
前記着座部および支え部内部に空間部を有することを特徴とする請求項１記載の鞍型椅子。
【請求項３】
前記着座部および支え部の下面に平球面を有する底面部を有することを特徴とする請求項１または請求項２記載の鞍型椅子。
【請求項４】
前記合成樹脂発泡体がスチレン改質ポリエチレン系樹脂発泡体、ポリスチレン樹脂発泡体、ハイインパクトポリスチレン樹脂発泡体、スチレン−エチレン共重合体樹脂発泡体、およびポリオレフィン系樹脂発泡体から選ばれた少なくとも１つの合成樹脂発泡体であることを特徴とする請求項１ないし請求項３のいずれか１項記載の鞍型椅子。
【発明の詳細な説明】
【技術分野】
【０００１】
本発明は、鞍型椅子に関し、特に家事、テレビ視聴、編み物、読書などをしながら着座する人の姿勢矯正および健康増進に寄与できる鞍型椅子に関する。
【背景技術】
【０００２】
家事労働に従事している主に家庭の主婦にとって、家事等をしながら内腿筋や大腿筋、腹筋をケアしたり鍛えたりできれば、健康増進に寄与できるため望ましい。そのため、揺動可能な椅子や鞍型椅子が開発されている。
揺動可能な椅子としては、発泡スチロールなどの発泡材により構成され円弧形状に形成された底面を備えた座部と、この座部の底面を受ける受面を備え、床面に接する底面が平坦な脚部とを備える椅子が知られている（特許文献１）。
また、床面上に置かれるベース部材と、このベース部材によって保持される座席部材と、この座席部材をベース部材に対して振り子運動させるように案内する案内手段とを備える椅子が知られている（特許文献２）。
内部に駆動装置を内蔵するものとして、分離して設けられた第１の座部と第２の座部と、これら２つの座部を連続して接近・離間移動させる駆動部とを備える椅子装置が知られている（特許文献３）。
また、座体を前後方向、左右方向及び上下方向に移動させる駆動機構を簡略化することにより、リンク機構を省スペース化して装置の小型化を可能にする乗馬型身体鍛錬装置が知られている（特許文献４）。
【０００３】
しかしながら、揺動可能な椅子は、揺動することでリラックス状態を手軽に得ることができるが、その他の効果を得ることはできなかった。
また、内部に駆動装置を内蔵する椅子装置や乗馬型身体鍛錬装置は、家庭内で家事、テレビ視聴、編み物、読書などをしながら利用することが困難であった。
【先行技術文献】
【特許文献】
【０００４】
【特許文献１】特開２００３−３１９８５０
【特許文献２】特開平７−２７５０７３
【特許文献３】特開２００９−８２６２３
【特許文献４】特開２００８−７３２８９
【発明の概要】
【発明が解決しようとする課題】
【０００５】
本発明は、上記問題に対処するためになされたもので、座るだけで大腿部への血流を促進可能としたり、腹筋運動や上体ひねり運動を可能としたりできる鞍型椅子の提供を目的とする。
【課題を解決するための手段】
【０００６】
本発明の鞍型椅子は、利用者が跨って着座する着座部と、この着座部の前方に着座後の両膝を支える支え部が着座部から連続的に形成されている。
上記着座部および支え部が平面視台形の四角柱の上面に形成され、この台形の底辺が上記支え部側であり、上記底辺に平行する短辺が上記着座部側であり、
鞍型椅子の着座部は利用者の臀部が着座できる凹み部を有し、支え部は利用者が跨って着座したとき両大腿部および両膝部が当接するように抉られている一対の抉り部と、この抉り部上方に両膝が当接する一対の突起部とを有し、上記利用者は、臀部を上記凹み部で安定させ、両大腿部および両膝内側で上記抉り部を挟み込む着座と、上記一対の突起部に両膝部が支えられて反り返ることができる着座とができる。
そして、鞍型椅子の着座部および支え部が合成樹脂発泡体により一体的に形成された成形品であることを特徴とする。
ここで、着座部の前方とは、跨って着座した利用者の前方方向をいい、抉り部の上方とは、鞍型椅子が設置される床面等に対して上方方向をいう。
【０００７】
上記一体的に形成された成形品である、着座部および支え部が平面視台形であり、この台形の底辺が前記支え部側であることを特徴とする。
また、着座部および支え部内部に空間部を有し、および／または着座部および支え部の下面に平球面を有する底面部を有することを特徴とする。
本発明の鞍型椅子は、合成樹脂発泡体により一体的に形成された成形品であり、この合成樹脂発泡体がスチレン改質ポリエチレン系樹脂発泡体、ポリスチレン樹脂発泡体、ハイインパクトポリスチレン樹脂発泡体、スチレン−エチレン共重合体樹脂発泡体、およびポリオレフィン系樹脂発泡体から選ばれた少なくとも１つの合成樹脂発泡体であることを特徴とする。
【発明の効果】
【０００８】
本発明の鞍型椅子は、合成樹脂発泡体により一体的に形成された成形品であるので、軽く持ち運び設置が容易であり、家事、テレビ視聴、編み物、読書などをしながら利用することができる。
また、合成樹脂発泡体により一体的に形成された成形品であるので、跨って着座後に両大腿部が抉り部に当接することにより、利用者の内股を暖めることで血流を促進できる。さらに、両大腿部が抉り部に当接して擦れることにより大腿部に贅肉が付くことを抑えることができる。
また、跨って着座後に両膝を前に揃えることにより骨盤を締め、着座部に深く座ることにより姿勢を真直ぐにできる。
【図面の簡単な説明】
【０００９】
【図１】鞍型椅子の斜視図である。
【図２】鞍型椅子を下面からみた斜視図である。
【図３】鞍型椅子の分割体の斜視図である。
【発明を実施するための形態】
【００１０】
本発明の鞍型椅子を図１により説明する。図１は鞍型椅子の斜視図である。
鞍型椅子１の上面は、利用者が跨って着座する着座部２と、利用者が着座した前方に着座後の両膝を支える支え部３が連続した形状として形成されている。支え部３は利用者の両下肢を支えるために一対の突起部３ａおよび３ｂを有している。
鞍型椅子１は平面視台形であり、この台形の底辺側が支え部側となる。すなわち台形を構成する二つ平行線の長辺側が支え部側となる。平面視台形とすることにより、着座時に利用者が跨がり易くなる。なお、鞍型椅子１の大きさは、利用者の年齢、性別、身長、体重により、上記台形の長辺の長さｔ1、同短辺の長さｔ2、同高さｔ3、および鞍型椅子自体の高さｔ4をそれぞれ設定することができる。
【００１１】
鞍型椅子１は、上面および底面が平行の四角柱における上面を鞍型形状に成形することで得られる。
鞍型形状は、利用者が着座できる着座部２が平面視台形の短辺側に形成され、この着座部２の前方に着座後の利用者の両膝を支える支え部３が着座部２から連続的に形成された形状である。
着座部２は、跨って座る利用者の臀部が着座できる凹み部２ａを有し、この凹み部２ａは乗馬用の鞍の鞍壺に相当するものであり、凹み部２ａの背面２ｂは利用者の臀部を安定させる形状に湾曲している。凹み部２ａの前方部２ｃは、凹み部２ａの中心から背面２ｂよりもなだらかな傾斜に前方に上昇している。
支え部３は、利用者が跨って着座したとき両大腿部および両膝部が当接するように抉られている一対の抉り部３ｃ、３ｄ、およびこの抉り部上方に両膝を支える一対の突起部３ａ、３ｂが平面視台形の長辺側に形成されている。突起部３ａ、３ｂは平面視台形の長辺側角上部に形成され、抉り部３ｃ、３ｄは、平面視台形の長辺側に接する両側面であって、跨って座る利用者の大腿部が接する位置に形成されている。突起部３ａ、３ｂは、凹み部の前方部２ｃからなだらかに上昇している。また、上昇している面の両側側面が抉られて抉り部３ｃ、３ｄが形成されている。この抉り部３ｃ、３ｄは乗馬用の鞍のフラップに類似するものである。先端の突起部３ａ、３ｂは、鞍型椅子１を正面から見たとき、Ｕ字型の両端に位置している。
【００１２】
本発明の鞍型椅子は、合成樹脂発泡体の成形体であるとともに、その内部に空間部を有していることが好ましい。空間部の存在により、合成樹脂発泡体で製造された鞍型椅子の軽量化が図れると共に、保温特性がより向上する。
【００１３】
本発明の鞍型椅子を下面からみた斜視図を図２に示す。
鞍型椅子１は、床面等に置かれる鞍型椅子の下面に平球面４ａを有する底面部４を有することが好ましい。平球面４ａは利用者が跨って座ったとき、鞍型椅子１がロッキングチェアのように前後方向に揺動するばかりでなく、角度３６０度の方向に揺動させることができる球面であることが好ましい。平球面４ａは利用者が安定して跨って座れるように、平球面の中心を通る縦断面円弧の高さが３．０ｃｍ以下であることが好ましい。また、平球面は台形柱の底面の全面に形成することができる。この場合、平球面は真円形状とすることもでき、または楕円形状とすることもできる。
また、鞍型椅子が台形柱の底面の全面をこえる大きさの底板とすることができる。
【００１４】
鞍型椅子１は、全体として合成樹脂発泡体により一体的に形成された成形品である。鞍型椅子１全体を１つの合成樹脂発泡体製造用金型を用いて周知の方法で一体成形することができる。また、鞍型椅子１を複数の部分に分割した合成樹脂発泡体製造用金型を用いて鞍型椅子１の分割体１ａ、１ｂ、１ｃを製造して、それらの分割体を結合させる方法を採用できる。
鞍型椅子１が内部に空間部を有する場合、または下面に平球面を有する底面部を有する場合には、鞍型椅子１の分割体を結合させる方法が好ましい。
【００１５】
鞍型椅子１を上部、中間部、下部に略等間隔の高さに分割した分割体の例を図３に示す。図３（ａ）は利用者が跨る鞍部分となる上部分割体１ａであり、図３（ｂ）は側面に抉り部の一部が形成されているとなる中間分割体１ｂであり、図３（ｃ）は、例えば平球面を有する底面部が下面に配置される下部分割体１ｃである。
中間分割体１ｂおよび下部分割体１ｃの内部は刳り抜かれており、この刳り抜かれた部分が椅子内部の空間部５を形成する。空間部５の形成は組み立て後の鞍型椅子の機械的強度を維持できる範囲であればよい。
分割体とすることにより、刳り抜かれた部分を有する場合であっても中子などを利用することなく、合成樹脂発泡体製造用金型の構造が簡単になる。分割体１ａ、１ｂ、１ｃは接着剤等で相互に固定される。
なお、鞍型椅子１が平球面の底面部４を有する場合は、その底面部を別個に成形して組み立てることができる。
鞍型椅子の底面部の組み立ては、下部、中間部、および上部を結合した鞍型椅子に接着剤で固定するか、または、機械的に嵌合させる方法がある。底面部４の形状を容易に変更することができる機械的に嵌合させる方法が好ましい。機械的に嵌合させる方法は、鞍型椅子の底面に嵌合する突起部を底面部に形成して、この底面部を鞍型椅子の下部に形成されている空間部に嵌合させる方法である。
【００１６】
鞍型椅子またはその分割体は、有機樹脂に発泡剤を添加して加熱時に発生するガスを利用して成形したり、反応性樹脂が反応時に発生するガスを利用して成形したりする発泡成形法により製造できる。成形方法は製造するための従来の金型を用いて発泡成形することができる。例えば、予備発泡粒子を型内発泡成形することにより得られる。
【００１７】
鞍型椅子またはその分割体を製造する合成樹脂発泡体は、熱可塑性樹脂や熱硬化性樹脂などの樹脂の種類、分解型発泡剤や蒸発型発泡剤などの発泡手段、射出発泡法や押出し発泡法などの成形方法、発泡倍率１０〜２０倍以下の低発泡や４０〜８０倍の高発泡などの発泡倍率、独立または連続気泡などの気泡構造等は、鞍型椅子の種類や用途により種々選択することができる。
たとえば、特に台所や風呂場等で使用される耐水性を必要とする場合には独立気泡構造が好ましい。本発明にあっては、スチレン改質ポリエチレン系樹脂発泡体、ポリスチレン樹脂発泡体、ハイインパクトポリスチレン樹脂発泡体、スチレン−エチレン共重合体樹脂発泡体、およびポリオレフィン系樹脂発泡体から選ばれた少なくとも１つの合成樹脂発泡体であることが好ましい。特に発泡倍率１０〜５０倍程度のスチレン改質ポリエチレン系樹脂発泡体が鞍型椅子またはその分割体の強度や軽量化を図る上で好適である。
スチレン改質ポリエチレン系樹脂発泡体を用いた鞍型椅子は、樹脂の発泡倍率を高めても機械的強度に優れているので軽量であり、弾力性に優れ使用感覚が心地良く、断熱性および保温性にも優れ、経年変化が少なく耐久性に優れている。また、スチレン改質ポリエチレン系樹脂発泡体は揮発性有機化合物（ＶＯＣ）対策が十分になされている樹脂発泡体である。
【００１８】
鞍型椅子の表面にプラスチックフィルム、不織布を熱圧着または接着剤を用いて貼付けることができる。プラスチックフィルムまたは不織布の材質としては、ポリエチレンテレフタレート、ポリブチレンテレフタレート等のポリエステル、ポリスチレン、ポリエチレン、ポリプロピレン等のポリオレフィン、ポリ塩化ビニルポリプロピレン等が挙げられる。機械的強度が高く、表面印刷性など取り扱いが容易なポリエチレンテレフタレートフィルムが好ましい。
【００１９】
本発明の鞍型椅子１は、底面部４を除いた鞍型椅子として使用できる。
底面部を除いた鞍型椅子は直接床面等に置くことができる。その場合、鞍型椅子の下部が床面に密接するので、鞍型椅子は揺動することなく安定する。
鞍型椅子を利用する人は、椅子に形成されている突起部３ａ、３ｂを前方に見ながら椅子に跨って着座する。臀部を着座部に形成された凹み部で安定させ、両大腿部および両膝内側で抉り部３ｃ、３ｄを挟み込む。挟み込むことにより、樹脂発泡体に接触している部分が暖かくなる。暖かくなった部分は血流が促進され、さらに大腿部は暖かくなる。
また、前方の一対の突起部３ａ、３ｂに両膝を押し付けて着座することにより、利用者は鞍型椅子上で反り返ることができる。反り返ると腹筋運動の効果がある。特に下腹部に負荷がかかる腹筋運動がテレビなどを見ながらでもできる。
【００２０】
本発明の鞍型椅子１は、底面部４を付加した鞍型椅子として使用できる。
底面部を付加した鞍型椅子は船底状であるので、着座して利用者の体を左右・前後に揺動させることができる。体の揺動により、家事、テレビ視聴、編み物、読書などをしながら柔軟体操をすることができる。
なお、底面部を外してバランサーとして使用できる。
【産業上の利用可能性】
【００２１】
本発明の鞍型椅子は、座るだけでも血流を増加させ、腹筋運動も可能で、左右・前後に揺動させることができるので、家事、テレビ視聴、編み物、読書などをしながら使用できる姿勢矯正および健康増進に寄与できる椅子として利用できる。
【符号の説明】
【００２２】
１    鞍型椅子
２    着座部
３    支え部
４    底面部
５    空間部
【図１】
0005975649.tif 000002
【図２】
0005975649.tif 000003
【図３】
0005975649.tif 000004